(57)【要約】      （修正有）【課題】既存の梱包箱に取り付けて用いることが可能であり、衣類を掛けたハンガーを脱落せず位置も安定して保持でき、平置きにも適したハンガー用掛止部品を提供する。【解決手段】梱包箱５０の内側面５１に取り付け可能な平板状のハンガー用掛止部品１００であって、ハンガー７０のフック部７１を挿通するハンガー挿通孔２１ａ，２１ｂを有し観音開きに立ち上げ可能な一対のフラップ２０ａ，２０ｂを少なくとも１つ形成するとともに、裏面１２に粘着部３０を形成した。【選択図】図５
2020203694.tif 000002
【特許請求の範囲】
【請求項１】
梱包箱の内側面に取り付け可能な平板状のハンガー用掛止部品であって、
ハンガー挿通孔を有し観音開きに立ち上げ可能な一対のフラップを少なくとも１つ形成するとともに、裏面に粘着部を形成したことを特徴とするハンガー用掛止部品。
【請求項２】
前記一対のフラップは掛止するハンガーのフック部を先に挿通する方のフラップが他方のフラップより長く形成されていることを特徴とする請求項１記載のハンガー用掛止部品。
【請求項３】
前記一対のフラップの先端同士が所定の余白を設けて形成され、掛止したハンガーのフック部が前記余白に当接することを特徴とする請求項１または２記載のハンガー用掛止部品。
【発明の詳細な説明】
【技術分野】
【０００１】
本発明は、ハンガーに掛けた状態の衣類を梱包箱に収容する際に用いるハンガー用掛止部品に関する。
【背景技術】
【０００２】
従来、衣料品メーカーから衣料品店への衣類の輸送においては、ハンガーに掛けた状態の衣類をそのまま収容可能なハンガーボックスが広く用いられており、輸送中も中の衣類が乱れて皴などを作ることなく到着することが強く望まれている。
【０００３】
ハンガーボックスは、例えば特開平１０−１７０４８号公報（特許文献１）や実登第３１２３７１５号公報（特許文献２）に示すように、段ボールなどのケース本体の内部上方にハンガーパイプなどのハンガーを掛止する部材が固定されており、この部材にハンガーを掛けることでハンガーに掛けた状態の衣類をそのまま収容して容易かつ安全に輸送可能としたものである。
【０００４】
しかしながら、前述のハンガーボックスは多くの衣類をハンガーにかけて縦に収容することを前提に構成されており、梱包箱として大型であって輸送しづらく輸送費が嵩む上に、輸送中衣類の肩部に常時荷重がかかるため型崩れの心配もあり、非常に不向きである。
【０００５】
そこで、例えば特開平１０−２３０９８４号公報（特許文献３）や特開２００７−４５４６５号公報（特許文献４）に示すように、段ボールなどのケース本体に切込みを設け、そこから立ち上がるフラップによってハンガーを掛止する部材を組み立て、この部材にハンガーを掛けることでハンガーに掛けた状態の衣類をそのまま収容して容易かつ安全に輸送可能とした梱包箱にかかる発明が知られている。
【０００６】
また、例えば特開平６−１５６５５７号公報（特許文献５）や特開平１０−２１８２６５号公報（特許文献６）に示すように、段ボールなどのケース本体にハンガーを嵌装可能なスリットを設け、前記スリットにハンガーを挿入して固定することでハンガーに掛けた状態の衣類をそのまま収容して容易かつ安全に輸送可能とした梱包箱にかかる発明が知られている。
【０００７】
特許文献３乃至６に記載された発明は、いずれも段ボールなどのケース本体自体をあらかじめ専用の形状に形成して組み立ててなるものであって、収容する衣類の種類やサイズ違いに応じた適切な容量の梱包箱を取り揃えることは困難であった。
【０００８】
これに対し、例えば実開平２−１６７３７号公報（特許文献７）に示すように、既存の梱包箱に後付けで貼り付けて使用するハンガー掛用具にかかる発明が知られている。
【０００９】
このハンガー掛用具によれば、収容する衣類のサイズに応じた既存の梱包箱を利用して、その内側面に前記ハンガー掛用具を接着剤で貼り付けるだけの簡便な構成でハンガーに掛けた状態の衣類をそのまま収容して容易かつ安全に輸送可能とすることができる利点がある。
【００１０】
しかしながら、前記ハンガー掛用具は厚紙を二重に折り畳んで穴をあけた懸掛穴にハンガーを懸掛しただけの構造であるため、ハンガーのフック部の回転方向への動き易さは棒状の物に懸掛した場合と変わらず、特に平置きの場合は顕著で、前記懸掛穴の内部でハンガーが容易に移動してしまい、輸送中の振動や姿勢の変更などによって、ハンガーが動いて衣類の状態を乱したり、またハンガーが前記懸掛穴から脱落して、衣類に皺や折り目を生じてしまったり損傷するおそれさえある。
【００１１】
そこで、ハンガーに掛けた状態の衣類を収容する梱包箱として既存の梱包箱を利用しつつ、脱落せず安定してハンガーを保持できる工夫が求められていた。
【先行技術文献】
【特許文献】
【００１２】
【特許文献１】特開平１０−１７０４８号公報
【特許文献２】実登第３１２３７１５号公報
【特許文献３】特開平１０−２３０９８４号公報
【特許文献４】特開２００７−４５４６５号公報
【特許文献５】特開平６−１５６５５７号公報
【特許文献６】特開平１０−２１８２６５号公報
【特許文献７】実開平２−１６７３７号公報
【発明の概要】
【発明が解決しようとする課題】
【００１３】
本発明は、既存の梱包箱に取り付けて用いることが可能であり、衣類を掛けたハンガーを脱落せず位置も安定して保持でき、平置きにも適したハンガー用掛止部品を提供することを課題とする。
【課題を解決するための手段】
【００１４】
上記課題を解決するためになされた本発明であるハンガー用掛止部品は、梱包箱の内側面に取り付け可能な平板状のハンガー用掛止部品であって、ハンガー挿通孔を有し観音開きに立ち上げ可能な一対のフラップを少なくとも１つ形成するとともに、裏面に粘着部を形成したことを特徴とする。
【００１５】
このように、梱包箱と別体のハンガー用掛止部品としたことで既存のあらゆる梱包箱に貼り付けて使用することができ、且つ、ハンガー掛止孔を有する一対のフラップを少なくとも１つ形成したことにより、一対のフラップの各ハンガー掛止孔にハンガーのフック部を順次挿通することで、２点で２方向にハンガーを保持することができるため、輸送時に揺れなどがあっても衣類を掛けたハンガーを脱落せず安定して保持できる。
【００１６】
また、前記一対のフラップは掛止するハンガーのフック部を先に挿通する方のフラップが他方のフラップより長く形成されている場合、長い方のフラップにハンガーのフック部を先に挿通することで続けて他方のフラップにハンガーのフック部を挿通する際に、比較的広い可動域を確保でき、作業性を向上することができる。尚、一般にハンガーの向きはフック部の先端が衣類の正面に対して左方向に向くように使用されるため、ハンガー用掛止部品の右側に形成したフラップの方が長く形成されることとなる。
【００１７】
更に、前記一対のフラップの先端同士が所定の余白を設けて形成され、掛止したハンガーのフック部が前記余白に当接可能する場合、ハンガーのフック部が一対のフラップの各ハンガー掛止孔で保持されるとともにハンガー用掛止部品の余白への当接により３点で動きが規制されるため、ほぼ位置が固定されたきわめて安定した状態で衣類を掛けたハンガーを掛止することができる。
【発明の効果】
【００１８】
本発明のハンガー用掛止部品によれば、梱包箱と別体のハンガー用掛止部品としたことで既存のあらゆる梱包箱に取り付けて使用することができ、ハンガー挿通孔を有し観音開きに立ち上げ可能な一対のフラップを少なくとも１つ形成したことにより、一対のフラップの各ハンガー掛止孔にハンガーのフック部を順次挿通することで、２点で２方向にハンガーを保持することができ、梱包箱を縦置き・平置きのどちらの姿勢としても衣類を掛けたハンガーを脱落することなく位置も安定して保持可能であり、特に梱包箱を平置きする場合に適したものである。
【００１９】
更に、ハンガー用掛止部品が段ボールやボール紙などの紙製である場合、コスト・強度・入手性・加工性等において優れたものとすることができるほか、梱包箱に取り付けたまま古紙として再利用することも容易となるため特に望ましい。
【図面の簡単な説明】
【００２０】
【図１】本発明のハンガー用掛止部品を示す（ａ）正面図および（ｂ）背面図。
【図２】図１に示したハンガー用掛止部品のフラップを立ち上げた状態を示す斜視図。
【図３】図１に示したハンガー用掛止部品を梱包箱の１つの内側面に取り付けた状態を示す斜視図。
【図４】図３に示した梱包箱において衣類を掛けたハンガーをハンガー用掛止部品に掛止した使用状態を示す図。
【図５】図４の要部を拡大した説明図。
【図６】図１に示したハンガー用掛止部品を梱包箱の２つの内側面に取り付けた状態を示す斜視図。
【発明を実施するための形態】
【００２１】
以下、図面を参照して本発明の好ましい実施の形態について詳細に説明する。
【００２２】
図１および図２は本発明のハンガー用掛止部品１００を示す図であり、この図に示すように、ハンガー用掛止部品１００は、平板の板状部材１０と、それぞれハンガー掛止孔２１ａ，２１ｂ，２１ｃ，２１ｄを有する二対のフラップ２０ａ，２０ｂ，２０ｃ，２０ｄと、板状部材１０の裏面１２における両端に形成された粘着部３０，３０と、からなる。
【００２３】
板状部材１０は、本実施の形態において段ボールを用いており、抜き型を用いて外枠１３の切り抜きと、各フラップ、各ハンガー掛止孔、および表裏判別のためのパンチ孔１４の形成を一度に行うものである（図示せず）。段ボールはコスト・強度・入手性・加工性等において優れているため特に望ましいが、例えばボール紙や樹脂シートを素材としてもよい。
【００２４】
フラップ２０ａ，２０ｂ，２０ｃ，２０ｄはそれぞれ、角丸長方形にくり抜かれたハンガー掛止孔２１ａ，２１ｂ，２１ｃ，２１ｄと、基端に位置する直線状のミシン目２２ａ，２２ｂ，２２ｃ，２２ｄと、その両端に連続して形成された平行な２本の直線および前記直線を結ぶ円弧を組み合わせた形状の切込み２３ａ，２３ｂ，２３ｃ，２３ｄと、からなり、各ミシン目２２ａ，２２ｂ，２２ｃ，２２ｄを軸に一対のフラップ（２０ａと２０ｂ、２０ｃと２０ｄ）が観音開きに向かい合うように板状部材１０の表面１１側に立ち上げ可能となっている。
【００２５】
このように一対のフラップ（２０ａと２０ｂ、２０ｃと２０ｄ）が観音開きに向かい合うように形成したことで、立ち上げた際の軸となるミシン目２２ａ，２２ｂ，２２ｃ，２２ｄの距離が開き、そして２方向に引っ張るようにハンガー７０のフック部７１を掛止することができる。
【００２６】
尚、一対のフラップの個数については上記示した二対のものに限定されるものではなく、縦方向あるいは横方向に複数個設けてもよく、一対のみであってもよい。
【００２７】
粘着部３０は、本実施の形態において両面テープを用いており、粘着剤を含侵した基材の表面に剥離紙を取り付けた従来周知の両面テープが使用可能である。
【００２８】
図３はハンガー用掛止部品１００を梱包箱５０の１つの内側面５１に取り付けた状態を示す斜視図である。
【００２９】
この図に示すように、ハンガー用掛止部品１００はその裏面１２に備えた粘着部３０を貼り付けることで、梱包箱５０の内側面５１における略中央に取り付けて用いられる。
【００３０】
フラップ２０ａ，２０ｂ，２０ｃ，２０ｄを立ち上げる際は、梱包箱５０に取り付ける前に予め指で板状部材１０の裏面１２方向から押し上げることができるほか、梱包箱５０に取り付けた後であってもハンガー掛止孔２１ａ，２１ｂ，２１ｃ，２１ｄに指を差し込んで持ち上げることもできる。
【００３１】
図４はハンガー用掛止部品１００を梱包箱５０の１つの内側面５１に取り付けた梱包箱５０において、衣類Ｃを掛けたハンガー７０をハンガー用掛止部品１００に掛止した使用状態を示す図であり、図５はその要部を拡大した説明図である。
【００３２】
梱包箱５０にハンガー用掛止部品１００を取り付け、フラップ２０ａ，２０ｂ，２０ｃ，２０ｄを立ち上げた状態としたら、梱包したいハンガー７０を掛けた状態の衣類Ｃを梱包箱５０に畳み入れ、まず右側のフラップ２０ｂ（２０ｄ）に設けたハンガー掛止孔２１ｂ（２１ｄ）から先にハンガー７０のフック部７１を差し込み、続いて左側のフラップ２０ａ（２０ｃ）に設けたハンガー掛止孔２１ａ（２１ｃ）にハンガー７０のフック部７１を差し込むことで、一対のフラップ２０ａ，２０ｂ（２０ｃ，２０ｄ）によってハンガー７０のフック部７１を２方向に引っ張るように掛止するものである。
【００３３】
このとき、右側のフラップ２０ｂ（２０ｄ）におけるミシン目２２ｂ（２２ｄ）からハンガー掛止孔２１ｂ（２１ｄ）の先端までの長さＬ１が、左側のフラップ２０ａ（２０ｃ）におけるミシン目２２ａ（２２ｃ）からハンガー掛止孔２１ａ（２１ｃ）の先端までの長さＬ２よりも長く形成されていることにより、右側のフラップ２０ｂ（２０ｄ）のハンガー掛止孔２１ｂ（２１ｄ）に差し込んだ状態のハンガー７０のフック部７１は、比較的自由度が高く動かすことができるため、フック部７１を左側のフラップ２０ａ（２０ｃ）に設けたハンガー掛止孔２１ａ（２１ｃ）に差し込む際に作業が容易となるように工夫されたものである。
【００３４】
また、一対のフラップ２０ａ，２０ｂ（２０ｃ，２０ｄ）の先端２４ａ，２４ｂ（２４ｃ，２４ｄ）同士を結んだ中心点は、板状部材１０の中心線Ｘに対して、ハンガー７０の長手方向（図１（ａ）における左右方向）のうち左方向にずれて形成されている。
【００３５】
尚、板状部材１０の中心線Ｘを示す目印が印刷または切り欠き等によって形成されている場合、梱包箱５０の内側面５１における中心線と板状部材１０の中心線Ｘとを略一致させて貼り付ける際の利便性が高い（図示せず）。
【００３６】
更に、一対のフラップ２０ａ，２０ｂ（２０ｃ，２０ｄ）は、互いの先端２４ａ，２４ｂ（２４ｃ，２４ｄ）の間に余白１５が設けられていることにより、ハンガー７０のフック部７１は、一対のフラップ２０ａ，２０ｂ（２０ｃ，２０ｄ）のハンガー掛止孔２１ａ，２１ｂ（２１ｃ，２１ｄ）の２点に加えて、余白１５にも接するため、この３点で支えられ、ほぼ位置が固定されたきわめて安定した状態で衣類Ｃを掛けたハンガー７０を掛止することができる。
【００３７】
本発明のハンガー用掛止部品１００は、不使用時に一対のフラップ２０ａ，２０ｂ（２０ｃ，２０ｄ）を折りたたむことで板状部材１０は突起のない平板状となるため、ハンガー用掛止部品１００を取り付けた状態で梱包箱５０を折りたたむことが可能である。
【００３８】
従って、ハンガー用掛止部品１００を取り付けた梱包箱５０は、ハンガー７０に掛けた状態の衣類Ｃを輸送した使用後に、一対のフラップ２０ａ，２０ｂ（２０ｃ，２０ｄ）を折りたたんだ状態のハンガー用掛止部品１００を取り付けたまま梱包箱を折りたたんでスペースを取ることなく梱包箱５０を保管することができ、再度使用する際には梱包箱５０を組み立て、一対のフラップ２０ａ，２０ｂ（２０ｃ，２０ｄ）を立ち上げるだけで繰り返し使用することができるため、例えば店舗間または店舗とメーカー間などの通い箱として使用する際に非常に便利である。
【００３９】
また、本実施の形態においてハンガー用掛止部品１００は段ボールにより形成されているため、ハンガー用掛止部品１００を取り付けた梱包箱５０が不要となったら、そのまま古紙として再利用することが容易である。
【００４０】
図６はハンガー用掛止部品１００を梱包箱５０の２つの内側面５１，５２に取り付けた状態を示す斜視図である。
【００４１】
このように、ハンガー用掛止部品１００は梱包箱５０の複数の内側面に取り付けることが可能であって、例えば多くの注文があって多種多様な衣類を梱包箱に梱包する必要が生じたとしても、容易に対応することができる利点を有する。或いは、１つの内側面に複数のハンガー用掛止部品１００を取り付けてもよい（図示せず）。
【００４２】
尚、本実施の形態において衣類を梱包箱に収容する際には、梱包箱のサイズに応じた台紙を挟み込んで衣類を折り畳むことによって輸送時の扱いにより生じやすい衣類の偏りを防ぎ、皺や折り目、または損傷を生じることなく衣類を輸送することができる（図示せず）。
【００４３】
以上のように、本発明のハンガー用掛止部品によれば、梱包箱と別体のハンガー用掛止部品としたことで既存のあらゆる梱包箱に取り付けて使用することができ、ハンガー挿通孔を有し観音開きに立ち上げ可能な一対のフラップを少なくとも１つ形成したことにより、一対のフラップの各ハンガー掛止孔にハンガーのフック部を順次挿通することで、２点で２方向にハンガーを保持することができ、梱包箱を縦置き・平置きのどちらの姿勢としても衣類を掛けたハンガーを脱落することなく位置も安定して保持可能であり、特に梱包箱を平置きする場合に適したものである。
【００４４】
更に、ハンガー用掛止部品が段ボールやボール紙などの紙製である場合、コスト・強度・入手性・加工性等において優れたものとすることができるほか、梱包箱に取り付けたまま古紙として再利用することも容易となるため特に望ましい。
【符号の説明】
【００４５】
１０  板状部材、１１  表面、１２  裏面、１３  外枠、１４  パンチ穴、１５  余白、２０ａ，２０ｂ，２０ｃ，２０ｄ  フラップ、２１ａ，２１ｂ，２１ｃ，２１ｄ  ハンガー掛止孔、２２ａ，２２ｂ，２２ｃ，２２ｄ  ミシン目、２３ａ，２３ｂ，２３ｃ，２３ｄ  切込み、２４ａ，２４ｂ，２４ｃ，２４ｄ  先端、３０  粘着部、５０  梱包箱、５１，５２  内側面、７０  ハンガー、７１  フック部、１００  ハンガー用掛止部品、Ｃ  衣類、Ｘ  板状部材の中心線、Ｌ１  右側のフラップのミシン目からハンガー掛止孔の先端までの長さ、Ｌ２  左側のフラップのミシン目からハンガー掛止孔の先端までの長さ
【図１】
2020203694.tif 000003
【図２】
2020203694.tif 000004
【図３】
2020203694.tif 000005
【図４】
2020203694.tif 000006
【図５】
2020203694.tif 000007
【図６】
2020203694.tif 000008